(57)【要約】【課題】所望のタイミングで情報を送信することができる情報配信システム、およびこのようなシステムを実現するための情報配信プログラムを提供する。【解決手段】情報配信システム１は、信号送信端末２と、保護者端末３と、ウェブサイトサーバ４と、管理サーバ５とを備える。信号送信端末２は、信号送信端末２の位置情報を含む所定の信号を管理サーバ５へ通信回線１３を介して送信する。管理サーバ５は、受信した位置情報に対応する現在地ＵＲＬ２４と、予め登録されていた避難開始情報２３とを、複数の保護者端末３に一斉送信すると共に、ウェブサイトサーバ４に送信する。【選択図】図１
2014164326.tif 000002
【特許請求の範囲】
【請求項１】
所定の信号を送信する信号送信部と、位置情報を検出する位置情報検出部とを有する信号送信端末と、
情報の送信先である送信先端末と、
情報の送信先である、外部からアクセス可能なウェブサイトサーバと、
前記送信先端末および前記ウェブサイトサーバに送信される情報である送信情報を記録する送信情報記録部と、前記送信先端末および前記ウェブサイトサーバに関する情報である送信先装置情報を記録する送信先装置情報記録部と、前記信号送信端末から同信号送信端末の位置情報を含む所定の信号を受信した場合に、同位置情報に対応する地図情報である現在地情報および前記送信情報記録部に記録された送信情報を、前記送信先装置情報記録部に記録された送信先装置情報に基づいて、前記送信先端末および前記ウェブサイトサーバへ送信する情報送信部とを有する管理サーバとを備える
情報配信システム。
【請求項２】
前記信号送信端末は、前記送信情報記録部に記録された送信情報の編集を要求する編集要求信号を送信する編集要求信号送信部を有し、
前記管理サーバは、送信された前記編集要求信号に応じて、前記送信情報記録部に記録された送信情報を編集する送信情報編集部を有する
請求項１に記載の情報配信システム。
【請求項３】
前記信号送信端末は、専用回線を介して通話可能な通話部と、該通話部で通話した場合に、さらに前記専用回線を使用したことを示す専用回線使用信号を送信する前記信号送信部とを有し、
前記管理サーバは、前記専用回線使用信号を受信した場合に、前記専用回線が使用されたことを示す情報を、前記ウェブサイトサーバに送信する前記情報送信部を有する
請求項１または請求項２に記載の情報配信システム。
【請求項４】
前記ウェブサイトサーバは、前記送信情報および前記現在地情報を前記現在地情報に対応する地域単位で表示可能に記録する
請求項１または請求項２に記載の情報配信システム。
【請求項５】
所定の信号を送信する信号送信部と、位置情報を検出する位置情報検出部とを有する信号送信端末と、
情報の送信先である送信先端末および情報の送信先である、外部からアクセス可能なウェブサイトサーバに送信される情報である送信情報を記録する送信情報記録部と、前記送信先端末および前記ウェブサイトサーバに関する情報である送信先装置情報を記録する送信先装置情報記録部と、前記信号送信端末から同信号送信端末の位置情報を含む所定の信号を受信した場合に、同位置情報に対応する地図情報である現在地情報および前記送信情報記録部に記録された送信情報を、前記送信先装置情報記録部に記録された送信先装置情報に基づいて、前記送信先端末および前記ウェブサイトサーバへ送信する情報送信部とを有する管理サーバとを備える
情報配信システム。
【請求項６】
情報の送信先である送信先端末および情報の送信先である、外部からアクセス可能なウェブサイトサーバに送信される情報である送信情報を記録する送信情報記録部と、前記送信先端末および前記ウェブサイトサーバに関する情報である送信先装置情報を記録する送信先装置情報記録部と、所定の信号を送信する信号送信部および位置情報を検出する位置情報検出部を有する信号送信端末から同信号送信端末の位置情報を含む所定の信号を受信した場合に、同位置情報に対応する地図情報である現在地情報および前記送信情報記録部に記録された送信情報を、前記送信先装置情報記録部に記録された送信先装置情報に基づいて、前記送信先端末および前記ウェブサイトサーバへ送信する情報送信部とを有する管理サーバを備える
情報配信システム。
【請求項７】
位置情報を検出する位置情報検出部を有する携帯端末に、
情報の送信先である送信先端末および情報の送信先である、外部からアクセス可能なウェブサイトサーバに送信される情報である送信情報を記録する送信情報記録部と、前記送信先端末および前記ウェブサイトサーバに関する情報である送信先装置情報を記録する送信先装置情報記録部とを有する管理サーバに、前記携帯端末から受信する同携帯端末の位置情報に対応する地図情報である現在地情報および前記送信情報記録部に記録された送信情報を、前記送信先装置情報記録部に記録された送信先装置情報に基づいて、前記送信先端末および前記ウェブサイトサーバへ送信させる、同位置情報を含む信号を送信する機能を付与する
情報配信プログラム。
【発明の詳細な説明】
【技術分野】
【０００１】
本発明は情報配信システムおよび情報配信プログラムに関する。詳しくは、例えば避難場所に関する情報を一斉に送信するための情報配信システムおよび情報配信プログラムに係るものである。
【背景技術】
【０００２】
洪水、地震などの災害が発生したとき、被災者は、危険を回避するために避難場所に避難する。また、このような災害に備えて、避難場所を住民に周知させるために、避難場所を表示した案内板が設置されている。
【０００３】
例えば、特許文献１には、図４に示すような案内装置が記載されている。すなわち、特許文献１に記載された案内装置１００は、内部に消火器１１３が収納された防災器具収納体１１１と、防災器具収納体１１１の上部に３０°程度の勾配で設けられた触知図案内板１１２とを備える。
【０００４】
また、防災器具収納体１１１の内部には、防災器具設置空間１３４と、防災ラジオ設置空間１３５とが区画形成されている。防災器具設置空間１３４には消火器１１３が収納され、防災ラジオ設置空間１３５には、上部取付板１３２に取付けられた盗難防止カバー１４９により防災ラジオ１５１が固定されている。
【先行技術文献】
【特許文献】
【０００５】
【特許文献１】実用新案登録第３０５４３８７号公報
【発明の概要】
【発明が解決しようとする課題】
【０００６】
ところで、災害発生時、家族や友人などの安否やその所在に関する情報を入手する手段としては、電話や電子メールが一般的である。
【０００７】
しかし、莫大な数の人が、一気に安否確認を行うので、災害発生から１０分ほどで、輻輳や通信規制により、電話や電子メールが使えなくなる恐れがある。
【０００８】
従って、輻輳や通信規制が発生する前など、所望のタイミングで安否情報などを家族の携帯端末などに送信することができるシステムが求められていた。
【０００９】
本発明は、以上の点に鑑みて創案されたものであり、所望のタイミングで情報を送信することができる情報配信システム、およびこのようなシステムを実現するための情報配信プログラムを提供することを目的とする。
【課題を解決するための手段】
【００１０】
上記の目的を達成するために、本発明の情報配信システムは、所定の信号を送信する信号送信部と、位置情報を検出する位置情報検出部とを有する信号送信端末と、情報の送信先である送信先端末と、情報の送信先である、外部からアクセス可能なウェブサイトサーバと、前記送信先端末および前記ウェブサイトサーバに送信される情報である送信情報を記録する送信情報記録部と、前記送信先端末および前記ウェブサイトサーバに関する情報である送信先装置情報を記録する送信先装置情報記録部と、前記信号送信端末から同信号送信端末の位置情報を含む所定の信号を受信した場合に、同位置情報に対応する地図情報である現在地情報および前記送信情報記録部に記録された送信情報を、前記送信先装置情報記録部に記録された送信先装置情報に基づいて、前記送信先端末および前記ウェブサイトサーバへ送信する情報送信部とを有する管理サーバとを備える。
【００１１】
ここで、位置情報を検出する位置情報検出部を有する信号送信端末によって、信号送信端末の位置情報を知ることができる。
【００１２】
また、情報の送信先である、外部からアクセス可能なウェブサイトサーバによって、外部から多くの人が端末を使ってアクセスできるので、多くの人に情報を知らせることができる。
【００１３】
また、信号送信端末から信号送信端末の位置情報を含む所定の信号を受信した場合に、位置情報に対応する地図情報である現在地情報および送信情報記録部に記録された送信情報を、送信先装置情報記録部に記録された送信先装置情報に基づいて、送信先端末およびウェブサイトサーバへ送信する情報送信部によって、信号送信端末が、信号送信端末の位置情報を含む所定の信号を送信するだけで、送信情報や現在地情報を送信先端末やウェブサイトサーバへ送信することができる。
【００１４】
また、情報送信部が現在地情報を送信先端末およびウェブサイトサーバへ送信するので、送信先端末の所持者のみならず、ウェブサイトサーバにアクセスした者にも、信号送信端末の所持者の居場所を知らせることができる。
【００１５】
また、本発明の情報配信システムにおいて、信号送信端末は、送信情報記録部に記録された送信情報の編集を要求する編集要求信号を送信する編集要求信号送信部を有し、管理サーバは、送信された編集要求信号に応じて、送信情報記録部に記録された送信情報を編集する送信情報編集部を有するものとすることができる。
【００１６】
この場合、信号送信端末の所持者は、自由に送信情報の内容を変えることができる。
【００１７】
また、本発明の情報配信システムにおいて、信号送信端末は、専用回線を介して通話可能な通話部と、通話部で通話した場合に、さらに専用回線を使用したことを示す専用回線使用信号を送信する信号送信部とを有し、管理サーバは、専用回線使用信号を受信した場合に、専用回線が使用されたことを示す情報を、ウェブサイトサーバに送信する情報送信部を有するものとすることができる。
【００１８】
この場合、情報送信部が、専用回線が使用されたことを示す情報をウェブサイトサーバに送信するので、ウェブサイトにアクセスした者に、専用回線を介して通話連絡したことを知らせることができる。
【００１９】
また、本発明の情報配信システムにおいて、ウェブサイトサーバは、送信情報および現在地情報を現在地情報に対応する地域単位で表示可能に記録するものとすることができる。
【００２０】
この場合、ウェブサイトにアクセスした者は、送信情報および現在地情報を見つけやすくなる。
【００２１】
また、上記の目的を達成するために、本発明の情報配信システムは、所定の信号を送信する信号送信部と、位置情報を検出する位置情報検出部とを有する信号送信端末と、
情報の送信先である送信先端末および情報の送信先である、外部からアクセス可能なウェブサイトサーバに送信される情報である送信情報を記録する送信情報記録部と、前記送信先端末および前記ウェブサイトサーバに関する情報である送信先装置情報を記録する送信先装置情報記録部と、前記信号送信端末から同信号送信端末の位置情報を含む所定の信号を受信した場合に、同位置情報に対応する地図情報である現在地情報および前記送信情報記録部に記録された送信情報を、前記送信先装置情報記録部に記録された送信先装置情報に基づいて、前記送信先端末および前記ウェブサイトサーバへ送信する情報送信部とを有する管理サーバとを備える。
【００２２】
また、上記の目的を達成するために、本発明の情報配信システムは、情報の送信先である送信先端末および情報の送信先である、外部からアクセス可能なウェブサイトサーバに送信される情報である送信情報を記録する送信情報記録部と、前記送信先端末および前記ウェブサイトサーバに関する情報である送信先装置情報を記録する送信先装置情報記録部と、所定の信号を送信する信号送信部および位置情報を検出する位置情報検出部を有する信号送信端末から同信号送信端末の位置情報を含む所定の信号を受信した場合に、同位置情報に対応する地図情報である現在地情報および前記送信情報記録部に記録された送信情報を、前記送信先装置情報記録部に記録された送信先装置情報に基づいて、前記送信先端末および前記ウェブサイトサーバへ送信する情報送信部とを有する管理サーバを備える。
【００２３】
また、上記の目的を達成するために、本発明の情報配信プログラムは、位置情報を検出する位置情報検出部を有する携帯端末に、情報の送信先である送信先端末および情報の送信先である、外部からアクセス可能なウェブサイトサーバに送信される情報である送信情報を記録する送信情報記録部と、前記送信先端末および前記ウェブサイトサーバに関する情報である送信先装置情報を記録する送信先装置情報記録部とを有する管理サーバに、前記携帯端末から受信する同携帯端末の位置情報に対応する地図情報である現在地情報および前記送信情報記録部に記録された送信情報を、前記送信先装置情報記録部に記録された送信先装置情報に基づいて、前記送信先端末および前記ウェブサイトサーバへ送信させる、同位置情報を含む信号を送信する機能を付与するものである。
【００２４】
ここで、管理サーバに、携帯端末から受信する携帯端末の位置情報に対応する地図情報である現在地情報および送信情報記録部に記録された送信情報を、送信先装置情報記録部に記録された送信先装置情報に基づいて、送信先端末およびウェブサイトサーバへ送信させる、位置情報を含む信号を送信する機能によって、携帯端末が所定の信号を送信するだけで、送信情報や現在地情報を送信先端末やウェブサイトサーバへ送信することができる。
【発明の効果】
【００２５】
本発明に係る情報配信システムは、所望のタイミングで情報を送信することができる。
本発明に係る情報配信プログラムは、所望のタイミングで情報を送信することができるシステムを実現することができる。
【図面の簡単な説明】
【００２６】
【図１】本発明を適用した情報配信システムの構成の一例を示す概略図である。
【図２】本発明を適用した情報配信システムを構成する信号送信端末から所定の信号を送信するときの動作の一例を示す概略図である。
【図３】本発明を適用した情報配信システムを構成する信号送信端末で専用回線を介して通話するときの動作の一例を示す概略図である。
【図４】従来の案内装置を示す概略図である。
【発明を実施するための形態】
【００２７】
以下、本発明の実施の形態について図面を参照しながら説明し、本発明の理解に供する。
図１は、本発明を適用した情報配信システムの構成の一例を示す概略図である。
また、図２は、本発明を適用した情報配信システムを構成する信号送信端末から所定の信号を送信するときの動作の一例を示す概略図である。
また、図３は、本発明を適用した情報配信システムを構成する信号送信端末で専用回線を介して通話するときの動作の一例を示す概略図である。
【００２８】
図１に示す本発明の情報配信システム１は、保育園の職員が所持する信号送信端末２と、園児の保護者が所持する保護者端末（送信先端末の一例である。）３と、コミュニティサイトなど外部からアクセス可能なウェブサイトのサーバであるウェブサイトサーバ４と、管理サーバ５とを備える。
【００２９】
また、信号送信端末２は、例えば図２に示すように、信号送信端末２の本体２Ａに取付けられた連結線２０を有する。また、連結線２０は、本体２Ａから引き出されたり、本体２Ａ内に入れられたりすることが可能である。
【００３０】
また、信号送信端末２は、連結線２０の一端に取付けられた輪状の摘み部１９を有する。
また、信号送信端末２は、押されることで信号送信端末２を通話可能状態にならしめる通話ボタン２２を有する。
【００３１】
また、信号送信端末２は、所定の信号を管理サーバ５へ通信回線１３を介して送信する信号送信部６を有する。ここで、信号送信部６は、信号送信端末２の所持者が摘み部１９を摘んで引張方向２１へ引っ張ることによって、または、通話ボタン２２を押すことによって、所定の信号を管理サーバ５へ送信する。
【００３２】
また、信号送信端末２は、摘み部１９が引張方向２１へ引っ張られた際にブザーが鳴る構成になっているが、必ずしもブザーが鳴る構成にしなくてもよい。
【００３３】
また、信号送信端末２は、例えばＧＰＳ（Ｇｌｏｂａｌ  Ｐｏｓｉｔｉｏｎｉｎｇ  Ｓｙｓｔｅｍ＝全地球測位システム）を構成する複数のＧＰＳ衛星から提供される信号を受信して、信号送信端末２の位置情報を検出する位置情報検出部７を有する。
また、位置情報検出部７が検出した、信号送信端末２の位置情報は、所定の信号に含められて管理サーバ５へ送信される。
【００３４】
また、管理サーバ５は、保護者端末３およびウェブサイトサーバ４に送信される情報である送信情報を記録する送信情報データベース（送信情報記録部の一例である。）１０を有する。
【００３５】
ここで、「送信情報」とは、具体的には例えば、図１に示すような、「［緊急］○○保育園は避難警報に基づき□□公園へ避難します。」という文章である避難開始情報２３である。
【００３６】
また、送信情報は、信号送信端末ごとに異なる内容を有している。
例えば、一の信号送信端末が所定の信号を管理サーバ５へ送信した場合は、「［緊急］○○保育園は避難警報に基づき□□公園へ避難します。」という情報が送信情報として送信される。また、他の信号送信端末が所定の信号を管理サーバ５へ送信した場合は、「［緊急］△△小学校は避難警報に基づき○×運動公園へ避難します。」という情報が送信情報として送信される。
【００３７】
また、管理サーバ５は、保護者端末３およびウェブサイトサーバ４に関する情報である送信先装置情報を記録する送信先装置情報データベース（送信先装置情報記録部の一例である。）１１を有する。
【００３８】
ここで、「送信先装置情報」とは、例えば、保護者端末３の電子メールアドレス、ウェブサイトサーバ４のＵＲＬである。
【００３９】
また、保護者端末３の電子メールアドレスについて、送信先装置情報データベース１１には、複数の保護者端末３の電子メールアドレスがメーリングリスト化されて記録されている。
【００４０】
また、管理サーバ５は、信号送信端末２から信号送信端末２の位置情報を含む所定の信号を受信した場合に、信号送信端末２の位置情報に対応する地図情報である現在地情報および送信情報データベース１０に記録された送信情報を、送信先装置情報データベース１１に記録された送信先装置情報に基づいて、保護者端末３およびウェブサイトサーバ４へ通信回線１３を介して送信する情報送信部１２を有する。
【００４１】
ここで、「現在地情報」とは、具体的には例えば、図１に示すような、位置情報に対応する地図情報が掲載されたウェブページを特定する記号の並びであるＵＲＬ（Ｕｎｉｆｏｒｍ  Ｒｅｓｏｕｒｃｅ  Ｌｏｃａｔｏｒ＝統一資源位置指定子）（現在地ＵＲＬ２４）である。
【００４２】
また、複数の保護者端末３の電子メールアドレスがメーリングリスト化されて送信先装置情報データベース１１に記録されているので、情報送信部１２は、同じ内容の現在地情報および同じ内容の送信情報を、複数の保護者端末３へ一斉に送信する。
【００４３】
また、ウェブサイトサーバ４は、送信情報および現在地情報を、現在地情報に対応する地域単位で表示可能に記録する。
すなわち、ウェブサイトサーバ４は、Ａ地区の現在地情報および送信情報を表示するＡ地区ウェブページ４Ａ、Ｂ地区の現在地情報および送信情報を表示するＢ地区ウェブページ４Ｂ、Ｃ地区の現在地情報および送信情報を表示するＣ地区ウェブページ４Ｃ、並びにＤ地区の現在地情報および送信情報を表示するＤ地区ウェブページ４Ｄを有する。
【００４４】
また、信号送信端末２は、送信情報データベース１０に記録された送信情報の編集を要求する編集要求信号を管理サーバ５へ通信回線１３を介して送信する編集要求信号送信部１４を有する。
【００４５】
また、管理サーバ５は、送信された編集要求信号に応じて、送信情報データベース１０に記録された送信情報を編集する送信情報編集部１５を有する。
【００４６】
また、信号送信端末２は、専用回線１７を介して、災害対策機関に設置された電話機である災害対策機関電話機１８と通話可能な通話部１６を有する。
【００４７】
例えば図３に示すように、信号送信端末２の所持者が通話ボタン２２を押すことによって、通話部１６が起動し、災害対策機関の人と通話することができる。
【００４８】
このとき、信号送信端末２の信号送信部６は、所定の信号に加えてさらに専用回線１７を使用したことを示す専用回線使用信号を管理サーバ５へ送信する。
【００４９】
また、管理サーバ５が専用回線使用信号を受信した場合、管理サーバ５の情報送信部６は、専用回線が使用されたことを示す情報を、ウェブサイトサーバ４に送信する。
【００５０】
従って、専用回線が使用されたことを示す情報を受信したウェブサイトサーバ４の各地区ウェブページは、各地区の現在地情報および送信情報に加えて、専用回線が使用されたことを示す情報も表示する。
【００５１】
ここで、本発明の情報配信システムが、所定の信号を送信する信号送信部と、位置情報を検出する位置情報検出部とを有する信号送信端末と、情報の送信先である送信先端末および情報の送信先である、外部からアクセス可能なウェブサイトサーバに送信される情報である送信情報を記録する送信情報記録部と、送信先端末およびウェブサイトサーバに関する情報である送信先装置情報を記録する送信先装置情報記録部と、信号送信端末から信号送信端末の位置情報を含む所定の信号を受信した場合に、位置情報に対応する地図情報である現在地情報および送信情報記録部に記録された送信情報を、送信先装置情報記録部に記録された送信先装置情報に基づいて、送信先端末およびウェブサイトサーバへ送信する情報送信部とを有する管理サーバとを備えるのであれば、必ずしも信号送信端末は編集要求信号送信部を有していなくてもよく、また、必ずしも管理サーバは送信情報編集部を有していなくてもよい。
【００５２】
しかし、信号送信端末が編集要求信号送信部を有し、管理サーバが送信情報編集部を有していれば、信号送信端末の所持者は、自由に送信情報の内容を変えることができるので好ましい。
【００５３】
また、本発明の情報配信システムが、所定の信号を送信する信号送信部と、位置情報を検出する位置情報検出部とを有する信号送信端末と、情報の送信先である送信先端末および情報の送信先である、外部からアクセス可能なウェブサイトサーバに送信される情報である送信情報を記録する送信情報記録部と、送信先端末およびウェブサイトサーバに関する情報である送信先装置情報を記録する送信先装置情報記録部と、信号送信端末から信号送信端末の位置情報を含む所定の信号を受信した場合に、位置情報に対応する地図情報である現在地情報および送信情報記録部に記録された送信情報を、送信先装置情報記録部に記録された送信先装置情報に基づいて、送信先端末およびウェブサイトサーバへ送信する情報送信部とを有する管理サーバとを備えるのであれば、必ずしも信号送信端末は通話部を有していなくてもよく、また、必ずしも信号送信部はさらに専用回線使用信号を送信しなくてもよく、また、情報送信部は、専用回線が使用されたことを示す情報をウェブサイトサーバに送信しなくてもよい。
【００５４】
しかし、情報送信部が、専用回線が使用されたことを示す情報をウェブサイトサーバに送信すれば、ウェブサイトにアクセスした者に、専用回線を介して通話連絡したことを知らせることができ、好ましい。
例えば、消防隊員がウェブサイトにアクセスし、すでに専用回線を介して通話連絡したことが判れば、消防隊員が通話連絡する手間を省くことができる。
【００５５】
また、本発明の情報配信システムが、所定の信号を送信する信号送信部と、位置情報を検出する位置情報検出部とを有する信号送信端末と、情報の送信先である送信先端末および情報の送信先である、外部からアクセス可能なウェブサイトサーバに送信される情報である送信情報を記録する送信情報記録部と、送信先端末およびウェブサイトサーバに関する情報である送信先装置情報を記録する送信先装置情報記録部と、信号送信端末から信号送信端末の位置情報を含む所定の信号を受信した場合に、位置情報に対応する地図情報である現在地情報および送信情報記録部に記録された送信情報を、送信先装置情報記録部に記録された送信先装置情報に基づいて、送信先端末およびウェブサイトサーバへ送信する情報送信部とを有する管理サーバとを備えるのであれば、必ずしもウェブサイトサーバは、送信情報および現在地情報を現在地情報に対応する地域単位で表示可能に記録しなくてもよい。
【００５６】
しかし、ウェブサイトサーバが、送信情報および現在地情報を現在地情報に対応する地域単位で表示可能に記録すれば、ウェブサイトにアクセスした者は、送信情報および現在地情報を見つけやすくなるので好ましい。
【００５７】
次に、本発明の情報配信システム１の利用の流れの一例を説明する。
本発明の情報配信システム１の利用を希望する者である保育園の職員は、信号送信端末２を購入するか、または本発明の情報配信プログラムを自身の携帯端末にインストールして、信号送信端末と成す。
【００５８】
ここで、本発明の情報配信プログラムは、位置情報を検出する位置情報検出部を有する携帯端末に、情報の送信先である送信先端末および情報の送信先である、外部からアクセス可能なウェブサイトサーバに送信される情報である送信情報を記録する送信情報記録部と、送信先端末およびウェブサイトサーバに関する情報である送信先装置情報を記録する送信先装置情報記録部とを有する管理サーバに、携帯端末から受信する携帯端末の位置情報に対応する地図情報である現在地情報および送信情報記録部に記録された送信情報を、送信先装置情報記録部に記録された送信先装置情報に基づいて、送信先端末およびウェブサイトサーバへ送信させる、位置情報を含む信号を送信する機能を付与するものである。
【００５９】
次に、管理サーバ５に対して、送信情報として「［緊急］○○保育園は避難警報に基づき□□公園へ避難します。」という避難開始情報２３を登録する。
【００６０】
また、管理サーバ５に対して、複数の保護者端末３の電子メールアドレス、およびウェブサイトサーバ４のＵＲＬを登録する。例えば、保護者が各自、マトリックス型二次元コードを保護者端末３で読取って電子メールアドレスを登録する。
また、複数の保護者端末３の電子メールアドレスは、メーリングリスト化されて管理サーバ５に登録される。
【００６１】
そして、例えば、地震などの災害が発生したとき、保育園の職員は、信号送信端末２の摘み部１９を摘んで引張方向２１へ引っ張る。
【００６２】
すると、信号送信端末２は、摘み部１９が引っ張られた時点での信号送信端末２の位置情報を含む所定の信号を管理サーバ５へ通信回線１３を介して送信する。
【００６３】
そして、管理サーバ５は、受信した位置情報に対応する現在地ＵＲＬ２４と、予め登録されていた避難開始情報２３とを、複数の保護者端末３に一斉送信すると共に、ウェブサイトサーバ４に送信する。
【００６４】
また、無事に□□公園に到着したときは、信号送信端末２から送信情報の編集を要求する編集要求信号を送信して、送信情報を例えば「［報告］○○保育園は無事に□□公園に避難しました。」という文章に変更する。
【００６５】
そして、保育園の職員は、信号送信端末２の摘み部１９を摘んで引張方向２１へ引っ張り、信号送信端末２から、摘み部１９が引っ張られた時点での信号送信端末２の位置情報を含む所定の信号を管理サーバ５へ送信する。
このときの位置情報は、すなわち□□公園の位置情報である。
【００６６】
すると、管理サーバ５は、□□公園の位置情報に対応する現在地ＵＲＬと、変更後の「［報告］○○保育園は無事に□□公園に避難しました。」という文章を、複数の保護者端末３に一斉送信すると共に、ウェブサイトサーバ４に送信する。
【００６７】
また、急きょ、避難場所を□□公園から○×公園へ変更することになった場合でも、同様に、信号送信端末２から送信情報の編集を要求する編集要求信号を送信して、送信情報を例えば「［緊急］○○保育園は、避難場所を○×公園へ変更しました。」という文章に変更し、信号送信端末２から、信号送信端末２の位置情報を含む所定の信号を管理サーバ５へ送信すればよい。
【００６８】
また、例えば、Ａ地区に位置する信号送信端末２から、信号送信端末２の位置情報を含む所定の信号を管理サーバ５へ送信した場合、信号送信端末２の位置情報を含む所定の信号を送信した時点の信号送信端末２の位置情報はＡ地区に含まれるので、送信情報および現在地情報はＡ地区ウェブページ４Ａに表示される。
【００６９】
そして、例えば、その後、保育園の職員がＢ地区へ移動し、Ｂ地区において信号送信端末２から、信号送信端末２の位置情報を含む所定の信号を管理サーバ５へ送信した場合、信号送信端末２の位置情報を含む所定の信号を送信した時点の信号送信端末２の位置情報はＢ地区に含まれるので、送信情報および現在地情報はＢ地区ウェブページ４Ｂに表示される。
【００７０】
また、管理サーバに現在地情報および送信情報を送信させる、信号送信端末の位置情報を含む所定の信号を複数種類設定して、各種信号に対応する送信情報を登録することもできる。
すなわち、例えば、第１の信号に対応する第１の送信情報として「［緊急］○○保育園は避難警報に基づき□□公園へ避難します。」という文章を登録しておき、第２の信号に対応する第２の送信情報として、「インフルエンザが発生しました。同じ症状があるお子様は、病院受診後に登園してください。」という文章を登録しておくこともできる。
【００７１】
以上のように、本発明の情報配信システムは、信号送信端末から信号送信端末の位置情報を含む所定の信号を受信した場合に、位置情報に対応する地図情報である現在地情報および送信情報記録部に記録された送信情報を、送信先装置情報記録部に記録された送信先装置情報に基づいて、送信先端末およびウェブサイトサーバへ送信する情報送信部によって、信号送信端末の所持者が信号送信端末の摘み部を引っ張って、信号送信端末の位置情報を含む所定の信号を送信するだけで、送信情報や現在地情報を送信先端末やウェブサイトサーバへ送信することができる。
【００７２】
従って、本発明の情報配信システムは、信号送信端末の所持者が、所望のタイミングで情報を送信することができるシステムである。
【００７３】
また、本発明の情報配信プログラムは、通常の携帯端末にインストールされて、携帯端末を信号送信端末と成すことができるので、所望のタイミングで情報を送信することができるシステムを実現することができる。
【００７４】
また、信号送信端末から、信号送信端末の位置情報を含む所定の信号を管理サーバに送信するごとに、信号送信端末の現在地情報がウェブサイトサーバに送信されるので、救助隊員に土地勘がなくても、ウェブサイトにアクセスして信号送信端末の所持者の現在地を把握し、信号送信端末の所持者の現在の居場所に到着するまでの時間を短縮できる。
【００７５】
また、本発明の情報配信システムを毎月１回の避難訓練において利用して、避難場所を確認しておくことができたり、保護者宅や保護者職場から避難場所までの所要時間を知ったりすることができる。
これにより、防災の意識を高めることができる。
【００７６】
また、本発明の情報配信システムは、送信情報を複数の保護者端末に一斉送信できるので、例えば「台風により運動会が○月○日に延期になりました。」、「△月△日は弁当持参の日です。」、および「□月□日は防災訓練の日です。」という、保育園や学校の行事についての連絡情報を送信情報として、複数の保護者端末に一斉送信すると便利である。
【符号の説明】
【００７７】
１    情報配信システム
２    信号送信端末
２Ａ  本体
３    保護者端末
４    ウェブサイトサーバ
４Ａ  Ａ地区ウェブページ
４Ｂ  Ｂ地区ウェブページ
４Ｃ  Ｃ地区ウェブページ
４Ｄ  Ｄ地区ウェブページ
５    管理サーバ
６    信号送信部
７    位置情報検出部
１０    送信情報データベース
１１    送信先装置情報データベース
１２    情報送信部
１３    通信回線
１４    編集要求信号送信部
１５    送信情報編集部
１６    通話部
１７    専用回線
１８    災害対策機関電話機
１９    摘み部
２０    連結線
２１    引張方向
２２    通話ボタン
２３    避難開始情報
２４    現在地ＵＲＬ
【図１】
2014164326.tif 000003
【図２】
2014164326.tif 000004
【図３】
2014164326.tif 000005
【図４】
2014164326.tif 000006